(57)【要約】【課題】駆動手段から配線を保護すると共に、設置部材の裏側を引き回される配線を適正に保持し得る遊技機を提供する。【解決手段】設置部材２７の前側に配設された第１演出装置の第１駆動モータ８０が、設置部材２７の後方に突出するように配設される。第１駆動モータ８０における設置部材２７の後方に突出する部分は、設置部材２７の裏側に配設された保護部材５６の被覆部５７で被覆される。被覆部５７における第１駆動モータ８０の後部を被覆する後被覆部５７ｂに、設置部材２７の裏側に引き出された第１配線を保持する第１保持部６１が設けられる。被覆部５７における第１駆動モータ８０の上部を被覆する上被覆部５７ａに、設置部材２７の裏側に引き出された第２配線を保持する第２保持部６４が設けられる。【選択図】図９
2015029736.tif 000002
【特許請求の範囲】
【請求項１】
各種電気部品が取り付けられる設置部材を備えた遊技機において、
前記設置部材の裏側に配設され、前記電気部品に接続する配線が接続される基板と、
前記設置部材に配設されて後方に突出し、該設置部材の前側に配設された可動体を駆動する駆動手段と、
前記設置部材の裏側に配設され、前記駆動手段の上部および後部を被覆する被覆部を備えた保護部材と、
前記保護部材に設けられ、前記電気部品と基板とを接続する前記配線を、前記被覆部における駆動手段の後部を被覆する後被覆部の後方を跨ぐように保持する保持部とを備える
ことを特徴とする遊技機。
【請求項２】
前記設置部材に形成されて前後方向に開放し、該設置部材の前側に配設された第２の電気部品に接続する第２の配線が設置部材の裏側に引き出されるように挿通される挿通口を備え、
前記保護部材の被覆部における駆動手段の上部を被覆する上被覆部に、前記挿通口を介して設置部材の裏側に引き出された第２の配線を保持する第２の保持部が設けられる請求項１記載の遊技機。
【請求項３】
前記保護部材に、前記駆動手段と前記基板とを接続する駆動用配線を前記保持部で保持される配線と纏めて保持する第３の保持部が設けられる請求項１または２記載の遊技機。
【請求項４】
前記保護部材に、前記第２の保持部と基板との間で前記第２の配線を保持する第４の保持部が設けられ、
前記第４の保持部における第２の配線の前方移動を規制する規制面は、前記第３の保持部における配線の前方移動を規制する規制面より前側に位置するよう構成される請求項３記載の遊技機。
【発明の詳細な説明】
【技術分野】
【０００１】
この発明は、設置部材に各種電気部品を備えた遊技機に関するものである。
【背景技術】
【０００２】
代表的な遊技機であるパチンコ機は、機体を構成する中枠(本体枠)に着脱自在に取り付けられる遊技盤を備えている。前記遊技盤は、前面に遊技領域が画成された板状部材と、該板状部材の裏側に配設されて各種遊技部品が取り付けられる設置部材とから構成される(例えば、特許文献１)。前記遊技領域内には、該遊技領域内を流下するパチンコ球が入賞可能な始動入賞装置、特別入賞装置、球案内部材および遊技釘等が配設されている。また、前記設置部材には、該設置部材および板状部材に形成された開口部を介して該板状部材の前側から視認可能な図柄表示装置が配設され、前記始動入賞装置へのパチンコ球の入賞により図柄表示装置での図柄変動演出が開始されるよう構成されており、図柄変動演出の結果として図柄表示装置に所定の組合わせで図柄が停止すると、遊技者に有利な所謂大当りが発生するよう構成される。
【先行技術文献】
【特許文献】
【０００３】
【特許文献１】特開２０１２−１３９５５８号公報
【発明の概要】
【発明が解決しようとする課題】
【０００４】
近年のパチンコ機は、前記図柄表示装置で行われる図柄変動演出の多様化やインパクトを高め、遊技の面白みを増大させることを目的として、前記遊技盤に対して大型の図柄表示装置が配設される傾向が強くなっている。すなわち、図柄表示装置が配設される設置部材においては、図柄表示装置の大型化に伴い表示部を前側に臨ませる開口部が大きくなり、設置部材に対して発光演出装置や可動体を動作させて演出を行う演出装置等の各種の電気部品を配設し得るスペースが小さくなっている。そこで、設置部材の前側に各種の遊技部品を配設するためのスペースを確保するため、該設置部材の前側に配設された可動体を駆動する駆動モータを、設置部材の裏側に突出するように配設することが行われている。一方で、設置部材の前側に配設された電気部品に接続する配線は、設置部材の裏側にて引き回されて、該設置部材の裏側に配設されている対応の制御装置に接続されるようになっている。このため、発熱する駆動モータに、設置部材の裏側を引き回される配線や島設備関係の配線が接触して、該配線が熱によって断線等するおそれがあった。
【０００５】
また、大型の図柄表示装置が配設された設置部材では、設置部材の裏側において前記配線を引き回し得るスペースが限られるため、設置部材裏側で引き回された配線が図柄表示装置の設置領域に延出していると、図柄表示装置の設置時に、配線を挟み込んだり引っ掛けたりして断線等を誘発する問題も指摘される。
【０００６】
すなわち本発明は、従来の技術に係る遊技機に内在する前記課題に鑑み、これを好適に解決するべく提案されたものであって、駆動手段から配線を保護すると共に、設置部材の裏側を引き回される配線を適正に保持し得る遊技機を提供することを目的とする。
【課題を解決するための手段】
【０００７】
前記課題を克服し、所期の目的を達成するため、本願の請求項１に係る発明は、
各種電気部品(46b,47)が取り付けられる設置部材(27)を備えた遊技機において、
前記設置部材(27)の裏側に配設され、前記電気部品(46b,47)に接続する配線(HA)が接続される基板(44)と、
前記設置部材(27)に配設されて後方に突出し、該設置部材(27)の前側に配設された可動体(39a)を駆動する駆動手段(80)と、
前記設置部材(27)の裏側に配設され、前記駆動手段(80)の上部および後部を被覆する被覆部(57)を備えた保護部材(56)と、
前記保護部材(56)に設けられ、前記電気部品(46b,47)と基板(44)とを接続する前記配線(HA)を、前記被覆部(57)における駆動手段(80)の後部を被覆する後被覆部(57b)の後方を跨ぐように保持する保持部(61)とを備えることを要旨とする。
【０００８】
請求項１の発明によれば、駆動手段を保護部材の被覆部で被覆することで、設置部材の裏側を引き回される配線や遊技店に設置された設備関係の配線が駆動手段に接触して熱により断線等するのを抑制することができる。また、設置部材に取り付けた電気部品と基板とを接続する配線を、保護部材に設けた保持部によって設置部材の後方に突出する駆動手段の後方を通って延在する状態で保持するよう構成したので、該配線が駆動手段の突出方向と交差する方向にはみ出すのを防ぐことができる。すなわち、設置部材の裏側に引き出された配線が所定の経路からはみ出さないので、設置部材に対して図柄表示装置を取り付ける際に、配線の挟み込みや引っ掛かりを防止でき、図柄表示装置の取り付け作業性を向上し得る。しかも、保護部材は、駆動手段に対する配線の接触を防止する機能および配線を保持する機能を有するので、夫々の機能を有する部材を別々に設ける場合に比べて部品点数を低減し得ると共に構成の簡単化を図り得る。
【０００９】
請求項２に係る発明では、前記設置部材(27)に形成されて前後方向に開放し、該設置部材(27)の前側に配設された第２の電気部品(29,41)に接続する第２の配線(HB)が設置部材(27)の裏側に引き出されるように挿通される挿通口(54)を備え、
前記保護部材(56)の被覆部(57)における駆動手段(80)の上部を被覆する上被覆部(57a)に、前記挿通口(54)を介して設置部材(27)の裏側に引き出された第２の配線(HB)を保持する第２の保持部(64)が設けられることを要旨とする。
請求項２の発明によれば、設置部材の裏側に引き出されて駆動手段の周囲を引き回される複数の配線を分けて保護部材の後側および上側で保持するよう構成したので、保護部材から外方への配線の突出寸法を抑えることができ、限られたスペースで配線を引き回し得る。
【００１０】
請求項３に係る発明では、前記保護部材(56)に、前記駆動手段(80)と前記基板(44)とを接続する駆動用配線(HD)を前記保持部(61)で保持される配線(HA)と纏めて保持する第３の保持部(72)が設けられることを要旨とする。
請求項３の発明によれば、駆動手段に接続する駆動用配線を他の配線と纏めて保持することができ、配線を処理する際の作業性が向上する。
【００１１】
請求項４に係る発明では、前記保護部材(56)に、前記第２の保持部(64)と基板(44)との間で前記第２の配線(HB)を保持する第４の保持部(76)が設けられ、
前記第４の保持部(76)における第２の配線(HB)の前方移動を規制する規制面(77)は、前記第３の保持部(72)における配線(HA)の前方移動を規制する規制面(73)より前側に位置するよう構成されることを要旨とする。
請求項４の発明によれば、第３の保持部および第４の保持部の夫々の規制面を前後に段差を付けて設けたので、配線と第２の配線とを前後に離して引き回すことができ、両配線が絡まるのを防止し得る。
【発明の効果】
【００１２】
本発明に係る遊技機によれば、駆動手段から配線を保護すると共に、設置部材の裏側を引き回される配線を適正な位置に保持することができる。
【図面の簡単な説明】
【００１３】
【図１】本発明の実施例に係るパチンコ機を示す正面図である。
【図２】実施例のパチンコ機を、中枠に対して前枠を開放した状態で示す概略斜視図であって、前枠の透視保護板や遊技盤における案内レールの内側に配設される各種遊技部品を省略している。
【図３】実施例に係る遊技盤の要部断面図であって、中枠および球タンクを想像線で示している。
【図４】実施例に係る遊技盤を示す概略正面図である。
【図５】実施例に係る板状部材、設置部材および枠状装飾部材を分解して前側から見た概略斜視図である。
【図６】実施例に係る設置部材と図柄表示装置とを分解して後側から見た概略斜視図である。
【図７】実施例に係る設置部材の概略正面図である。
【図８】実施例に係る設置部材の要部平面図である。
【図９】実施例に係る設置部材を後側から見た要部概略斜視図である。
【図１０】実施例に係る設置部材を後側から見た要部概略斜視図であって、保護部材を分解して示している。
【図１１】実施例に係る保護部材を前側から見た概略斜視図である。
【図１２】実施例に係る遊技盤を、第１駆動モータの配設位置で縦断した要部断面図である。
【図１３】実施例に係る遊技盤を、保護部材の第２取着部の位置で縦断した要部断面図である。
【発明を実施するための形態】
【００１４】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１５】
(パチンコ機１０について)
実施例に係るパチンコ機１０は、図１および図２に示すように、前後に開口する矩形枠状に形成されて遊技店の図示しない設置枠台に縦置き姿勢で設置される固定枠としての外枠１１の開口前面側に、遊技盤Ｍを着脱可能に保持する本体枠としての中枠１２が開閉および着脱可能に組み付けられて、該遊技盤Ｍの裏側に、各種図柄を変動表示可能な図柄表示装置１８が着脱可能に配設されている。また、前記中枠１２の前面側には、前記遊技盤Ｍを透視保護するガラス板や透明な合成樹脂材により形成された透視保護板１３ｂで前後に開口する窓部１３ａを覆うよう構成された前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。なお、実施例では、前記図柄表示装置１８としては、各種図柄を表示可能な液晶パネルを収容ケース３１に収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。また、前記上球受け皿１４は、前記前枠１３と別体に形成してもよい。なお、球受け皿については、上下２枚の球受け皿１４,１５を備えるものに限らず、１枚の球受け皿のみを設ける構成であってもよい。
【００１６】
前記前枠１３の右下方位置には、前記中枠１２に配設された打球発射装置１６を作動する操作ハンドル１７が設けられている。前記操作ハンドル１７は、左回転方向に付勢された操作レバー１７ａを備えており、該操作レバー１７ａを右回転するよう遊技者が回動操作することで打球発射装置１６が作動されて、前記上球受け皿１４に貯留されたパチンコ球が前記遊技盤Ｍに向けて発射されるようになっている。
【００１７】
(外枠１１について)
前記外枠１１は、上下左右の４つの枠部材を相互に組み付けることで縦長の矩形枠体として構成されるものであって、４つの枠部材で画成される開口領域に対し、前記中枠１２が開閉および着脱自在に支持されて、外枠１１に対して中枠１２を閉成することで、該外枠１１の内側に中枠１２が収容されるよう構成される。
【００１８】
(中枠１２について)
図２に示すように、前記中枠１２は、上縁をなす上枠部材１２ａと、下縁をなし、打球発射装置１６、各種制御装置(図示せず)を設置する設置部として機能する下枠部材１２ｂと、左縁(一方の側縁)をなす左枠部材１２ｃと、右縁(他方の側縁)をなす右枠部材１２ｄとから構成されて、これら上下左右の枠部材１２ａ,１２ｂ,１２ｃ,１２ｄを組み付けた際に、全体が外枠１１の開口領域に整合する大きさに形成される。そして、外枠１１に対して中枠１２の左枠部材１２ｃ側が、ヒンジ機構１９を介して回動自在に支持されて、右枠部材１２ｄが施錠装置(図示せず)により施錠されるようになっている。また、中枠１２には、上下左右の枠部材１２ａ,１２ｂ,１２ｃ,１２ｄを組み付けることで前後に開口する遊技盤保持部２０が画成され、該遊技盤保持部２０に遊技盤Ｍが着脱自在にセット保持される。図１,図２において、遊技盤Ｍを構成する後述の板状部材２１の前面に配設されている各種の遊技部品は、後述する案内レール２６を除いて図示省略してある。また、図２においては、前枠１３に配設されている透視保護板１３ｂも図示省略している。
【００１９】
前記遊技盤保持部２０を画成する各枠部材１２ａ,１２ｂ,１２ｃ,１２ｄの内面には、内側に突出する段部(図示せず)が夫々設けられている。また、上枠部材１２ａの下面および下枠部材１２ｂにおける左端部の上面には、前記左枠部材１２ｃにおける段部の前面から前側に遊技盤Ｍにおける板状部材２１の厚みと略同寸法だけ離間する位置に、内側(遊技盤保持部２０側)に突出する固定突部２２が夫々が突設されている。また、上枠部材１２ａおよび下枠部材１２ｂの右端部には、段部との間で板状部材２１の右側上下端部を挟持する固定具２３が夫々設けられている。すなわち、中枠１２に対して遊技盤Ｍは、遊技盤保持部２０に対して前側から斜めに板状部材２１を臨ませて、該板状部材２１の左側端部を前記段部と固定突部２２,２２との間に差し込んだ状態で、板状部材２１の右側端部を押し込んで該板状部材２１の左側端部を中心に回動させて板状部材２１の全体を遊技盤保持部２０に臨ませ、該板状部材２１の右端部の裏面を段部に当接させる。そして、前記固定具２３,２３を板状部材２１の右側上下端部の前面に当接して段部との間で挟持することで、板状部材２１は中枠１２の遊技盤保持部２０内に組み付けられる。
【００２０】
前記上枠部材１２ａの裏側には、設置枠台等に設けられた外部球供給設備から供給されるパチンコ球を貯留する球タンク２４が、該上枠部材１２ａの左右幅の略全幅に亘って設けられている。この球タンク２４は、図３に示すように、前記遊技盤保持部２０に組み付けられた板状部材２１の上部位置と前後に重なるよう構成されて、板状部材２１の上下寸法を最大限大きくし得るようになっている。また、前記下枠部材１２ｂの裏側には、前記上下の球受け皿１４,１５に連通する球供給路および設置枠台に設けた球回収樋に連通する球排出路が夫々形成されたセット部材(図示せず)が配設されている。前記球タンク２４とセット部材とは、該球タンク２４およびセット部材における左枠部材１２ｃ側の端部間に架設された球通路ユニット(図示せず)を介して連通接続されており、該球通路ユニットに配設された球払出し装置(図示せず)の駆動により球タンク２４に供給されたパチンコ球を前記上下の球受け皿１４,１５へ給出し得るよう構成される。
【００２１】
(遊技盤Ｍについて)
本実施例では、所定板厚の略矩形状に形成された木材板の表面に各種絵柄等が描かれた合成樹脂シート(図示せず)等を貼付けて装飾した板状部材２１と、該板状部材２１の裏側に着脱自在に取り付けられる設置部材２７とから遊技盤Ｍが構成されている(図５参照)。板状部材２１の表面には、図４に示す如く、略円形状に湾曲形成された案内レール２６が配設され、該案内レール２６によってパチンコ球が流下可能な遊技領域２１ａが画成されている。なお、前記図柄表示装置１８は、設置部材２７の裏側に取り付けられて、該設置部材２７に設けた開口部２７ａに表示部が臨むようになっている。また、板状部材２１には、前記案内レール２６で囲まれた遊技領域２１ａの略中央の大部分が開口する装着口２１ｂに、前後に開口する開口部２８ａが形成された枠状装飾部材２８が取り付けられており、設置部材２７に設けた開口部２７ａおよび枠状装飾部材２８の開口部２８ａを介して図柄表示装置１８の表示部が板状部材２１(遊技盤Ｍ)の前面側に臨むよう構成されている。前記枠状装飾部材２８における開口部２８ａの上方に臨む部位に、ＬＥＤ等の発光体を基板に実装した前発光装置(第２の電気部品)２９を備えた前装飾体３０が配設され、開口部２８ａの上方位置を光で装飾し得るようになっている(図４参照)。なお、実施例では、板状部材２１に配設された枠状装飾部材２８の開口部２８ａおよび設置部材２７の開口部２７ａが、図柄表示装置１８の表示部を前側から視認可能とする可視表示部となっている。
【００２２】
(図柄表示装置１８について)
図６に示す如く、前記設置部材２７に配設される図柄表示装置１８は、各種図柄を表示可能な液晶パネルが収容ケース３１に収容されたユニット部材であって、収容ケース３１の左側面に係止突部３１ａが上下に離間する２箇所に設けられている。この係止突部３１ａは、前記設置部材２７の裏側に設けられる後述する左規制壁３７と係脱可能に係止されるようになっている。また、前記収容ケース３１の右側部の上下端部に、右方へ突出する支持部３１ｂが夫々形成されており、設置部材２７の裏側に設けた後述する支持台部３８に、図示しないロック部材を介して着脱自在に取り付けられるよう構成されている。
【００２３】
(設置部材２７について)
前記設置部材２７は、前記板状部材２１の外郭形状より僅かに小さい形状に形成された略矩形状の背面板３２と、該背面板３２の外周縁部から前方に突出する画壁部３３とから前方に開口した箱状に形成されて、該画壁部３３の開口前端部を板状部材２１の裏面に当接させた状態で、当該板状部材２１と設置部材２７とがネジ止め固定される。そして、前記設置部材２７において前記板状部材２１との間に画成される空間に、各種の演出装置３９,４２,４６,４８等が設置されて、設置部材２７を基材とする１つのユニットとして扱い得るようになっている(図５,図７参照)。また、前記設置部材２７の背面板３２には、前記枠状装飾部材２８の開口部２８ａと前後に整列する位置に、略矩形状の前記開口部２７ａが前後に開口するよう開設されると共に、該背面板３２の裏側に前記図柄表示装置１８が着脱自在に取り付けられて、該開口部２７ａ,２８ａを介して図柄表示装置１８の表示部が板状部材２１(遊技盤Ｍ)の前側に臨むようになっている。なお、以下の説明では、設置部材２７の背面板３２について、開口部２７ａに対する上下左右の各部位を、上板部３２ａ,下板部３２ｂ,左板部３２ｃ,右板部３２ｄと指称して区別する場合もある。また、画壁部３３についても、開口部２７ａに対する上下左右の各部位を、上壁部３３ａ,下壁部３３ｂ,左壁部３３ｃ,右壁部３３ｄと指称して区別する場合もある。
【００２４】
前記設置部材２７の背面板３２の裏側には、前記図柄表示装置１８の設置領域Ｓが、規制壁３４によって画成されている。この規制壁３４は、図６に示す如く、前記上板部３２ａに設けられて左右方向に延在する上規制壁３５と、前記下板部３２ｂに設けられて左右方向に延在する下規制壁３６と、前記左板部３２ｃに設けられて上下の規制壁３５,３６に接続するように上下方向に延在する左規制壁３７とで構成される。前記左規制壁３７には、上下に離間する２箇所に、前記図柄表示装置１８に形成した前記係止突部３１ａ,３１ａを挿脱可能な差込み口３７ａ,３７ａが設置領域Ｓ側に開口するよう開設されている。また前記右板部３２ｄには、上下に離間する２箇所に支持台部３８,３８が設けられている。そして、前記係止突部３１ａ,３１ａを差込み口３７ａ,３７ａに挿入して左規制壁３７に係合すると共に、前記支持部３１ｂ,３１ｂを支持台部３８,３８の後端に当接した状態で、支持部３１ｂ,３１ｂを支持台部３８,３８にロック部材で固定することで、前記図柄表示装置１８が設置領域Ｓに位置決め固定されるようになっている。設置領域Ｓに位置決め固定された図柄表示装置１８は、その表示部が設置部材２７の前記開口部２７ａに臨んで前側からの視認が可能な状態となる。なお、前記下規制壁３６は、図柄表示装置１８の下面の略全体を支持可能な長さに設定されるのに対し、上規制壁３５は、図柄表示装置１８の上面における左隅部のみを支持し得る長さ寸法に設定してある。
【００２５】
(上板部３２ａについて)
図５,図７に示すように、前記設置部材２７における上板部３２ａの前面には、第１演出装置３９と第２演出装置４２とが左右に並んで配設されている。第１演出装置３９は、上下方向に移動自在な第１可動体３９ａと、該第１可動体３９ａを上下方向に移動する駆動手段としての第１駆動モータ８０とを備える。また上板部３２ａには、図１０に示す如く、前記設置領域Ｓより上方位置(上規制壁３５の下面位置より上側)で左右方向の中央より右側に偏った位置に前後方向に開口する通孔４０が開設されており、該通孔４０から前記第１駆動モータ８０が後方に突出するよう構成される。この第１駆動モータ８０は、回転子や固定子等が金属性のカバーで覆われたモータ部８０ａと、該モータ部８０ａの前側に配設され、モータ部８０ａで回転駆動される回転軸に連繋した減速機構が樹脂製のカバーで覆われた減速部８０ｂとを備え、モータ部８０ａおよび減速部８０ｂが通孔４０から後方に突出している。なお、上板部３２ａには、通孔４０を挟む左右両側に、後方に突出すると共にネジ孔を形成した位置決め突部７０,７０が設けられており、該位置決め突部７０,７０を介して後述する保護部材５６が上板部３２ａに着脱自在に取り付けられるよう構成されている。
【００２６】
前記通孔４０から後方に突出した第１駆動モータ８０は、前記図柄表示装置１８の設置領域Ｓの上外方に位置している。より具体的には、前記板状部材２１の上部位置の後方に重なるように位置する前記球タンク２４は、図３に示す如く、前記設置部材２７の上壁部３３ａに近接する上方位置を該設置部材２７の背面板３２(上板部３２ａ)から後方に所定長さ延出しており、該延出部分と前記設置領域Ｓに取り付けた図柄表示装置１８の上端部との間に第１駆動モータ８０が位置している。また、第１駆動モータ８０の後端は、球タンク２４の後端より前側に位置している。前記第１可動体３９ａには、ＬＥＤ等の発光体を基板に実装した第１発光装置(第２の電気部品)４１が配設される(図７参照)。
【００２７】
前記第２演出装置４２は、上下方向に移動自在な第２可動体４２ａと、該第２可動体４２ａを上下方向に移動する駆動手段としての第２駆動モータ４２ｂとを備える。第２駆動モータ４２ｂは、図７に示す如く、第２可動体４２ａの配設位置より左側において上板部３ａの前面に配設されている。また、第２可動体４２ａには、ＬＥＤ等の発光体を基板に実装した第２発光装置４３が配設される。
【００２８】
前記上板部３２ａの裏面には、前記通孔４０の形成位置より左側に、後述する第１中継基板５０に電気的に接続される第２中継基板(基板)４４を設置する基板設置部４５が設けられており、該基板設置部４５に配設された第２中継基板４４に対して、前記第１駆動モータ８０、第１発光装置４１、前発光装置２９および後述する第３駆動モータ４６ｂ、第３発光装置４７に接続する各配線ＨＡ,ＨＢ,ＨＤ,ＨＥがコネクタ接続される。基板設置部４５は、図１０に示す如く、上板部３２ａの裏面から所定長さ後方に突出すると共に、該基板設置部４５の下面は、前記上規制壁３５の下面と同一水平位置に位置するよう設定されており、該基板設置部４５が、前記設置領域Ｓに取り付けられた図柄表示装置１８の上方への変位を規制するべく機能するようになっている。なお、基板設置部４５に配設された第２中継基板４４に設けた複数のコネクタ受部４４ａ,４４ｂは、前記図柄表示装置１８の設置領域Ｓの上外方(図柄表示装置１８と球タンク２４との間)に位置するよう構成されている。
【００２９】
図９,図１０に示す如く、前記第２中継基板４４の裏面(後方を向く面)には、前記第１駆動モータ８０、第１発光装置４１、第３駆動モータ４６ｂ、第３発光装置４７および前発光装置２９に接続する各配線ＨＡ,ＨＢ,ＨＤ,ＨＥがコネクタ接続される第１コネクタ受部４４ａが、接続口を後向きにして設けられると共に、第２中継基板４４を前記第１中継基板５０に電気的に接続する中継用配線ＨＥがコネクタ接続される第２コネクタ受部４４ｂが、接続口を後向きにして設けられている。そして、各第１コネクタ受部４４ａと第２コネクタ受部４４ｂとは、第２中継基板４４に形成したプリントパターンを介して電気的に接続するよう構成される。また、第２中継基板４４に設けられる第１コネクタ受部４４ａについては、後述する保護部材５６に設けられた第３保持部７２で保持されて引き回される第１配線ＨＡが接続されるコネクタ受部が、該第３保持部７２の左側方に略並んだ状態で配置されると共に、保護部材５６に設けられた第４保持部７６で保持されて引き回される第２配線ＨＢが接続されるコネクタ受部が、該第４保持部７６の左側方に略並んだ状態で配置されている。
【００３０】
(左板部３２ｃおよび右板部３２ｄについて)
図７に示す如く、前記設置部材２７における右板部３２ｄの前側には、第３演出装置４６が配設されている。この第３演出装置４６は、左右方向に移動自在な第３可動体４６ａと、該第３可動体４６ａを左右方向に移動する駆動手段としての第３駆動モータ(電気部品)４６ｂとを備えると共に、第３可動体４６ａにはＬＥＤ等の発光体を基板に実装した第３発光装置(電気部品)４７が配設されている。また、設置部材２７における左板部３２ｃの前側には、第４演出装置４８が配設されている。この第４演出装置４８は、左右方向に移動自在な第４可動体４８ａと、該第４可動体４８ａを左右方向に移動する駆動手段としての第４駆動モータ４８ｂとを備えると共に、第４可動体４８ａにはＬＥＤ等の発光体を基板に実装した第４発光装置４９が配設されている。第３駆動モータ４６ｂが背面板３２の前面右上隅部に配設されると共に、第４駆動モータ４８ｂが背面板３２の前面左上隅部に配設されている。
【００３１】
(下板部３２ｂについて)
前記設置部材２７における下板部３２ｂの裏面には、図６に示す如く、前記下規制壁３より下方位置に、第１中継基板５０が配設されている。そして、前記上板部３２ａに配設した前記第２中継基板４４に接続された中継用配線ＨＥ、第２演出装置４２の第２駆動モータ４２ｂ、第２発光装置４３、第４演出装置４８の第４駆動モータ４８ｂおよび第４発光装置４９に接続する配線ＨＣが、上板部３２ａ、左板部３２ｃおよび下板部３２ｂの裏側を引き回された後に、第１中継基板５０に夫々コネクタ接続される。そして、該第１中継基板５０にコネクタ接続された各配線ＨＣ,ＨＥは、第１中継基板５０を介して前記制御装置に電気的に接続されて、該制御装置によって前記演出装置３９(第１駆動モータ８０),４２(第２駆動モータ４２ｂ),４６(第３駆動モータ４６ｂ),４８(第４駆動モータ４８ｂ)および発光装置２９,４１,４３,４７,４９が制御されるよう構成してある。
【００３２】
(配線の引き出し構造について)
図８,図９に示す如く、前記設置部材２７の右壁部３３ｄには、前記設置領域Ｓより上方位置(上規制壁３５の下面位置より上側)において左右方向に開放する第１挿通口５１が形成されており、前記第３演出装置４６の第３駆動モータ４６ｂおよび第３発光装置４７に接続する配線ＨＡは、該第１挿通口５１を介して設置部材２７の外側方に引き出された後に上板部３２ａの裏側を左方向に引き回されて、前記第２中継基板４４にコネクタ接続されるよう構成される。
【００３３】
前記設置部材２７の上板部３２ａには、図９,図１０に示す如く、前記通孔４０を挟んで基板設置部４５と反対側(通孔４０の右側)に偏倚した位置に、前後方向に開放する第２挿通口(挿通口)５４が形成されており、上板部３２ａの前側に配設された前記第１発光装置４１および前発光装置２９に接続する配線ＨＢが、該第２挿通口５４を介して上板部３２ａの裏側に引き出されるよう構成される。なお、第２挿通口５４は、前記図柄表示装置１８の設置領域Ｓの上外方(図柄表示装置１８と球タンク２４との間)に位置している。また、設置部材２７の上壁部３３ａには、該上壁部３３ａの前後方向の全長に亘って上下方向に開放する切欠部５２が形成されており、該切欠部５２の後端部が第２挿通口５４に連通している。そして、上板部３２ａの前側に位置する第１発光装置４１および前発光装置２９に接続する配線ＨＢは、切欠部５２を介して第２挿通口５４に挿通されるよう構成してある。なお、切欠部５２は、第２挿通口５４と連通する後半部分における左右幅寸法が第２挿通口５４の左右幅寸法より小さく設定されて、第２挿通口５４に挿通された配線ＨＢが切欠部５２を介して上方に容易に抜け出さないようになっている。より具体的には、切欠部５２の後半部分の開口は、第２挿通口５４から裏側に引き出された配線ＨＢが後述する保護部材５６に向けて引き回される側とは反対側(右側)に偏倚して設けられており、上板部３２ａの裏側を左方に引き回される配線ＨＢが切欠部５２の開口から抜け出さないよう構成されている。また、切欠部５２の前半部は、前側に向かうにつれて左右幅が広がるように形成されており、第２挿通口５４に挿通した配線ＨＢの第１発光装置４１や前発光装置２９に対する接続作業性を向上し得るよう構成してある。
【００３４】
前記上板部３２ａの左隅部に、前後方向に開放する第３挿通口５５が形成されており、前記第２演出装置４２の第２駆動モータ４２ｂと第２発光装置４３および第４演出装置４８の第４駆動モータ４８ｂと第４発光装置４９に接続する配線ＨＣは、該第３挿通口５５を介して設置部材２７の裏側に引き出された後(図１０参照)、左板部３２ｃの裏側を下方に引き回されて、前記第１中継基板５０にコネクタ接続されるよう構成される。なお、以下の説明において、第１挿通口５１から設置部材２７の裏側に引き出される第３駆動モータ４６ｂ、第３発光装置４７に接続する配線ＨＡを第１配線ＨＡ、第２挿通口５４から設置部材２７の裏側に引き出される第１発光装置４１、前発光装置２９に接続する配線ＨＢを第２配線(第２の配線)ＨＢ、第３挿通口５５から設置部材２７の裏側に引き出される第２駆動モータ４２ｂ、第２発光装置４３、第４駆動モータ４８ｂ、第４発光装置４９に接続する配線ＨＣを第３配線ＨＣ、第１駆動モータ８０に接続する配線ＨＤをモータ用配線(駆動用配線)ＨＤとして区別して指称する場合もある。
【００３５】
(保護部材５６について)
図９〜図１２に示す如く、前記上板部３２ａには、前記通孔４０から後方に突出する第１駆動モータ８０の上部および後部を被覆する保護部材５６が配設され、前記第１駆動モータ８０、第１発光装置４１、第３駆動モータ４６ｂ、第３発光装置４７および前発光装置２９と第２中継基板４４とを接続する配線ＨＡ,ＨＢ,ＨＤを、該保護部材５６によって前記設置領域Ｓの上外方において第１駆動モータ８０の周囲を通って延在する状態で保持するよう構成される。この保護部材５６は、前記第１駆動モータ８０の上部および後部を被覆する被覆部５７と、該被覆部５７を挟んで左右両側に延在するように設けられた第１取着部５８および第２取着部５９とを備え、両取着部５８,５９を上板部３２ａに夫々ネジ止めすることで、当該保護部材５６が上板部３２ａに位置決め固定されるよう構成される。
【００３６】
(被覆部５７について)
前記被覆部５７は、前方および下方に開放する略半円筒状に形成された上被覆部５７ａと、該上被覆部５７ａの後端に連設されて下方に向けて延在する略円盤状の後被覆部５７ｂとを備え、図１２に示す如く、前記取着部５８,５９を介して保護部材５６を上板部３２ａに位置決め固定した状態で、該上被覆部５７ａの前端は、上板部３２ａから後方に所定長さだけ離間して、該上被覆部５７ａの前端と上板部３２ａとの間に上方に開放する上開口部６０を画成するよう構成される。この上開口部６０の前後寸法は、前記第１駆動モータ８０における減速部８０ｂの上板部３２ａから後方への突出寸法と略同じに設定されており、該上開口部６０に減速部８０ｂが臨むようになっている。また、上被覆部５７ａは、第１駆動モータ８０におけるモータ部８０ａを囲繞可能な半筒状に形成されると共に、該上被覆部５７ａの前後長は、モータ部８０ａの前後長より僅かに大きく設定されている。そして、保護部材５６を上板部３２ａに位置決め固定した状態で、後被覆部５７ｂがモータ部８０ａの後端に対して僅かな隙間をあけて対向するよう構成される。
【００３７】
(第１保持部６１について)
前記後被覆部５７ｂに、前記第１挿通口５１から設置部材２７の裏側に引き出された第１配線ＨＡを後被覆部５７ｂの後方を左右方向に跨ぐように保持する第１保持部(保持部)６１が設けられている。この第１保持部６１は、図９,図１０,図１２に示す如く、後被覆部５７ｂの上部側から後方に延在した後に下方に向けて延在する第１フック片６２と、該第１フック片６２の下端近傍において第１フック片６２を挟む左右両側に位置して後被覆部５７ｂから後方に突出する規制部６３とを備える。第１フック片６２は後被覆部５７ｂに対して前後方向に弾性変形可能に構成されると共に、該第１フック片６２の下端部前面には、前方に向けて突出する第１爪部６２ａが突設されている。規制部６３と第１爪部６２ａとは、図１２に示す如く、側面視において突出端部が近接して、第１フック片６２を弾性変形しない状態での配線の挿脱を規制し得るよう構成される。すなわち、第１フック片６２と後被覆部５７ｂとの間に、該第１フック片６２を弾性変形させつつ第１配線ＨＡを後被覆部５７ｂの下端側から通した状態で、第１配線ＨＡの下側への移動が規制部６３,６３および第１爪部６２ａによって規制されて、該第１配線ＨＡを、後被覆部５７ｂの後方を左右方向に跨ぐ姿勢で保持し得るよう構成される。
【００３８】
(第２保持部６４について)
前記上被覆部５７ａに、前記第２挿通口５４から設置部材２７の裏側に引き出された第２配線ＨＢを、上被覆部５７ａの上側を左右方向に跨ぐように保持する第２保持部(第２の保持部)６４が設けられている。この第２保持部６４は、図９,図１０,図１２に示す如く、上被覆部５７ａの前端近傍において該上被覆部５７ａの表面から外方に延出するフランジ部６５と、該フランジ部６５の左右方向の略中央から後方に向けて延在する第２フック片６６とを備える。第２フック片６６は、上被覆部５７ａの表面から上側に離間した位置を後方に向けて延在すると共に、該第２フック片６６の延出端の下面には、下方に向けて突出する第２爪部６６ａが突設されている。また、第２フック片６６は上被覆部５７ａに対して上下方向に弾性変形可能に構成されると共に、第２爪部６６ａの突出端部は上被覆部５７ａの表面に近接して、第２フック片６６を弾性変形しない状態での配線の挿脱を規制し得るよう構成される。すなわち、第２フック片６６と上被覆部５７ａとの間に、該第２フック片６６を弾性変形させつつ第２配線ＨＢを上被覆部５７ａの後側から通した状態で、第２配線ＨＢの後側への移動が第２爪部６６ａによって規制されて、該第２配線ＨＢを、上被覆部５７ａの上側を左右方向に跨ぐ姿勢で保持し得るよう構成される。また、前記フランジ部６５は、前記第１取着部５８と第２取着部５９との間に亘って設けられており、上被覆部５７ａの上側を左右方向に延在する第２配線ＨＢの前側への移動をフランジ部６５によって規制し得るようになっている。
【００３９】
前記被覆部５７の後被覆部５７ｂにおける第１フック片６２と対向する位置に、前後方向に開口する放熱口８２が設けられると共に、上被覆部５７ａにおける第２フック片６６と対向する位置に、上下方向に開口する放熱口８２が設けられている。すなわち、第１駆動モータ８０における被覆部５７で覆われているモータ部８０ａで発生した熱が被覆部５７内にこもることなく放熱し得るようになっている。なお、各放熱口８２における配線ＨＡ,ＨＢの延在方向の開口寸法は、該配線ＨＡ,ＨＢが簡単には入り込むことがない値に設定されている。
【００４０】
(第１取着部５８および第２取着部５９について)
図１０,図１１に示す如く、前記被覆部５７の右側に設けられる前記第１取着部５８は、平板状に形成されて被覆部５７から右方に略水平に延在する第１基部６７を備えると共に、被覆部５７の左側に設けられる前記第２取着部５９は、平板状に形成されて被覆部５７から左方に略水平に延在する第２基部６８を備える。両基部６７,６８の延出端側の下面に、前方に開口する筒状に形成されると共に前後方向に貫通する通孔が形成された位置決め部６９が夫々設けられている。そして、各位置決め部６９に、前記上板部３２ａに設けた対応する位置決め突部７０の後端を挿入した状態で、各位置決め部６９の通孔に挿通したネジを対応する位置決め突部７０のネジ孔に螺挿することで、当該保護部材５６が上板部３２ａの裏面に位置決め固定されるようになっている。また、第１基部６７および第２基部６８は、被覆部５７の前端より所定長さだけ前方に突出しており、両基部６７,６８の前端を前記上板部３２ａの裏面に当接して両位置決め部６９,６９を位置決め突部７０,７０にネジ止めした状態で、被覆部５７の前端と上体部３２ａと裏面との間に前記上開口部６０が画成されるよう構成してある。なお、上板部３２ａに保護部材５６を位置決め固定した状態で、前記第２挿通口５４の下側に第１基部６７が位置して、該第２挿通口５４から上板部３２ａの裏側に引き出された第２配線ＨＢの下側への移動を第１基部６７によって規制し得るようになっている。
【００４１】
前記第１取着部５８の第１基部６７における延出端側(右端側)の上面に、前後方向の中間位置から上方に延出した後に前方に向けて折曲形成された鉤状の保持片(保持部)７１が設けられている。この保持片７１における前方への延出部７１ａの前端は、保護部材５６を上板部３２ａに位置決め固定した状態で、該上板部３２ａの裏面との間に所定の隙間が画成されるよう設定されており(図８参照)、該隙間を介して第１基部６７と保持片７１との間に第１配線ＨＡを通し得るよう構成される。なお、保持片７１の延出部７１ａと上板部３２ａとの間の隙間は、複数の配線を束ねた前記第１配線ＨＡの挿脱は規制するが、該第１配線ＨＡを構成する２〜３本程度の配線単位での挿脱は許容するよう設定してある。また保持片７１は、前記被覆部５７における後被覆部５７ｂより前側に位置しており、保持片７１で保持された第１配線ＨＡを後被覆部５７ｂに引き回すことで、該第１配線ＨＡは前後方向に湾曲するよう構成される。
【００４２】
(第３保持部７２について)
前記第２取着部５９の第２基部６８における下面側に、前記第１保持部６１により保持されて被覆部５７の左方に引き回された第１配線ＨＡを保持可能な第３保持部(第３の保持部)７２が設けられている。この第３保持部７２は、図９,図１０,図１３に示す如く、第２基部６８の後端より所定長さだけ前側に偏倚した位置から下方に延在する第１前壁部(規制面)７３と、該第１前壁部７３の下端に設けられて該第１前壁部７３から後方に離間した位置を上方に向けて延在する第３フック片７４とを備える。第３フック片７４の延出端の前面には、前方に向けて突出する第３爪部７４ａが突設されている。また、第３フック片７４は第１前壁部７３に対して前後方向に弾性変形可能に構成されており、第３フック片７４と第１前壁部７３との間に、該第３フック片７４を弾性変形させつつ第１配線ＨＡを上側から通した状態で、第１配線ＨＡの上側への移動が第３爪部７４ａによって規制されて、該第１配線ＨＡを、第１前壁部７３の後側を左右方向に延在する姿勢で保持し得るよう構成される。なお、第２基部６８には、前記第３フック片７４の形成位置に対応して、該第２基部６８から後方向けて延出する保持フック７５が設けられると共に、該保持フック７５には、第３フック片７４の上側に臨む延出端の下面に爪部７５ａが設けられている。すなわち、第３フック片７４と第１前壁部７３との間に通された第１配線ＨＡは、保持フック７５によっても上側への移動が規制されるようになっている。なお、第３爪部７４ａおよび爪部７５ａの突出端部は近接しており、第３フック片７４を弾性変形しない状態での配線の挿脱を規制し得るよう構成してある。
【００４３】
前記第１前壁部７３の下端縁に、後方に延出する延出規制部７３ａが、該第１前壁部７３の左右方向の略全長に亘って設けられており、該延出規制部７３ａが、第３フック片７４と第１前壁部７３との間に通された第１配線ＨＡにおける第３フック片７４の左右両側に延在する部分の下側への移動を規制するよう構成される。なお、第１前壁部７３の上端縁から後方に第２基部６８が延出しており、該第２基部６８における第１前壁部７３からの延出部分が、第３フック片７４と第１前壁部７３との間に通された第１配線ＨＡにおける第３フック片７４の左右両側に延在する部分の上側への移動を規制すべく機能するようになっている。また第３フック片７４は、前記被覆部５７における後被覆部５７ｂより前側に位置しており、第１保持部６１で保持された第１配線ＨＡを第３保持部７２側に引き回すことで、該第１配線ＨＡは前後方向に湾曲するよう構成される。
【００４４】
ここで、前記第１駆動モータ８０に設けられたコネクタ８０ｃは、図９に示す如く、前記上被覆部５７ａの左下端より下側に位置しており、該コネクタ８０ｃに接続されたモータ用配線ＨＤは、前記第１配線ＨＡにおける第１保持部６１で保持されている部分より左側(第２中継基板４４側)において該第１配線ＨＡと纏められて前記第３保持部７２に保持されるよう構成される。
【００４５】
(第４保持部７６について)
前記第２取着部５９の第２基部６８における上面側に、前記第２保持部６４により保持されて被覆部５７の左方に引き回された第２配線ＨＢを保持可能な第４保持部(第４の保持部)７６が設けられている。この第４保持部７６は、図９,図１０,図１３に示す如く、第２基部６８の後端より所定長さだけ前側に偏倚した位置から上方に延在する第２前壁部(規制面)７７と、該第２前壁部７７の上端に設けられて該第２前壁部７７から後方に向けて延在する第４フック片７８と、第４フック片７８の下方に対向するように第２基部６８の上面に設けられ、後端において上方に突出する規制突部７９ａが設けられた規制片７９とを備える。第４フック片７８は第２前壁部７７に対して上下方向に弾性変形可能に構成されると共に、該第４フック片７８の後端部下面には、規制突部７９ａに近接するように下方に向けて突出する第４爪部７８ａが突設されている。第４爪部７８ａおよび規制突部７９ａの突出端部は近接して、第４フック片７８を弾性変形しない状態での配線の挿脱を規制し得るよう構成される。すなわち、第４フック片７８と規制片７９との間に、該第４フック片７８を弾性変形させつつ第２配線ＨＢを後側から通した状態で、第２配線ＨＢの後側への移動が規制突部７９ａおよび第４爪部７８ａによって規制されて、該第２配線ＨＢを、第２前壁部７７の後方を左右方向に延在する姿勢で保持し得るよう構成される。なお、第４フック片７８と規制片７９との間に通された第２配線ＨＢにおける第４フック片７８の左右両側に延在する部分の下側への移動は、前記第２基部６８によって規制されるようになっている。
【００４６】
前記第１前壁部７３の裏面(規制面)は、図１３に示す如く、前記第２前壁部７７の裏面(規制面)より後側に偏倚して位置するよう設定されており、第１前壁部７３で前側への移動が規制された状態で第３保持部７２によって保持されている第１配線ＨＡと、第２前壁部７７で前側への移動が規制された状態で第４保持部７６によって保持されている第２配線ＨＢとの引き回し経路を前後方向に分け得るよう構成される。実施例では、前記第４フック片７８の第４爪部７８ａおよび規制片７９の規制突部７９ａの前端は、第２基部６８の後端と略同じ位置に位置しており、第４爪部７８ａおよび規制突部７９ａによって後側への移動が規制される第２配線ＨＢの全体が、第３保持部７２で保持されている第１配線ＨＡに対して上下方向で重なり難くなっている。
【００４７】
(配線係止手段８１について)
図６,図９,図１０に示す如く、前記上板部３２ａの裏面には、前記図柄表示装置１８の設置領域Ｓの上外方で該上板部３２ａの右端と前記保護部材５６の配設位置との間に、前記第１挿通口５１から裏側に引き出された第１配線ＨＡを係止する複数の配線係止手段８１が配設されている。そして、この配線係止手段８１に第１配線ＨＡを係止して左方に引き回すことで、第１挿通口５１から前記保護部材５６までの間に位置する第１配線ＨＡが、図柄表示装置１８と球タンク２４との間に保持されるようになっている。また、上板部３２ａの裏面に、前記設置領域Ｓの上外方で前記基板設置部４５と第３挿通口５５との間に、第２中継基板４４からの中継用配線ＨＥを係止する配線係止手段８１が配設されており、該配線係止手段８１に中継用配線ＨＥを係止して左方に引き回すことで、第２中継基板４４からの中継用配線ＨＥが、図柄表示装置１８と球タンク２４との間に保持されるようになっている。更に、前記左板部３２ｃおよび下板部３２ｂの裏面には、第３配線ＨＣおよび中継用配線ＨＥを係止可能な複数の配線係止手段８１が、前記設置領域Ｓの外方位置に設けられており、これら配線係止手段８１に配線ＨＣ,ＨＥを係止することで、該配線ＨＣ,ＨＥは所定の経路に沿って引き回されるよう構成される。
【００４８】
〔実施例の作用〕
次に、前述した実施例に係るパチンコ機１０の作用につき説明する。
【００４９】
前記板状部材２１の裏側に設置部材２７を取り付けた状態で、前記右板部３２ｄの前側に配設された第３駆動モータ４６ｂおよび第３発光装置４７に接続する第１配線ＨＡは、前記第１挿通口５１を介して上板部３２ａの裏側に引き出された後、前記複数の配線係止手段８１に係止した状態で保護部材５６まで引き回される。この第１配線ＨＡは、前記保護部材５６の第１取着部５８に設けた保持片７１と上板部３２ａとの間に通された後に、前記被覆部５７における後被覆部５７ｂの後側に引き回されて、前記第１保持部６１に保持される。更に、第１保持部６１で保持された状態で被覆部５７の左方に引き回された第１配線ＨＡは、前記第２取着部５９の下側に設けられた第３保持部７２に保持された後に、前記第２中継基板４４の第１コネクタ受部４４ａに接続される。すなわち、第１挿通口５１から引き出されて第１駆動モータ８０の後方を左右方向に引き回される第１配線ＨＡは、第１基部６７と保持片７１、第１保持部６１および第３保持部７２の夫々によって上下および前後方向への移動が規制された状態で保持される。従って、第１駆動モータ８０の後方を、保護部材５６によって保持された第１配線ＨＡは、前記図柄表示装置１８の設置領域Ｓ側にはみ出すことなく引き回されて第２中継基板４４に接続されている。
【００５０】
また、前記上板部３２ａの前側に配設された第１発光装置４１および前発光装置２９に接続する第２配線ＨＢは、前記第２挿通口５４を介して上板部３２ａの裏側に引き出された後、前記保護部材５６における第１基部６７の上側および上被覆部５７ａの上側を引き回されると共に前記第２保持部６４に保持される。更に、第２保持部６４で保持された状態で被覆部５７の左方に引き回された第２配線ＨＢは、前記第２取着部５９の上側に設けられた第４保持部７６に保持された後に、前記第２中継基板４４の第１コネクタ受部４４ａに接続される。すなわち、第２挿通口５４から引き出されて第１駆動モータ８０の上方を左右方向に引き回される第２配線ＨＢは、第１基部６７、第２保持部６４および第４保持部７６の夫々によって上下および前後方向への移動が規制された状態で保持される。従って、第１駆動モータ８０の上方を、保護部材５６によって保持された第２配線ＨＢは、前記図柄表示装置１８の設置領域Ｓ側にはみ出すことなく引き回されて第２中継基板４４に接続されている。
【００５１】
実施例のパチンコ機１０では、前記第１演出装置３９の第１駆動モータ８０における前記上板部３２ａの後方に突出する部分は、図９に示す如く、前記保護部材５６の被覆部５７で被覆されている。より具体的には、第１駆動モータ８０の最も発熱するモータ部８０ａの上部および後部を上被覆部５７ａおよび後被覆部５７ｂで被覆すると共に、該上被覆部５７ａおよび後被覆部５７ｂに保持部６１,６４を設けて対応する配線ＨＡ,ＨＢを保持するよう構成している。すなわち、保持部６１,６４で保持された配線ＨＡ,ＨＢがモータ部８０ａに直接接触するのを防止することができ、これらの配線ＨＡ,ＨＢが熱により断線等するのを抑制することができる。また、モータ部８０ａの上部および後部を被覆部５７で被覆しているので、パチンコ機１０を遊技店に設置した際に、該遊技店の球補球設備関係の配線がパチンコ機１０の裏側に垂れ下がっていたとしても、該配線がモータ部８０ａに直接接触するのを防止して断線等するのを抑制し得る。
【００５２】
また、実施例の保護部材５６では、前記モータ部８０ａの下部側を被覆することなく開放すると共に、上被覆部５７ａおよび後被覆部５７ｂに放熱口８２を夫々設けているので、被覆部５７内に熱がこもるのを防止することができる。更に、第１駆動モータ８０において発熱が小さい減速部８０ｂに対応する部分に上開口部６０を設けているので、該上開口部６０からも放熱を促すことができ、第１駆動モータ８０が熱によって損傷したり保護部材５６が熱によって変形等するのを防ぐことができる。
【００５３】
前記第１駆動モータ８０のコネクタ部８０ｃに接続されたモータ用配線ＨＤは、前記被覆部５７の左側において前記第２基部６８の下側を引き回されて前記第１配線ＨＡと纏められて前記第３保持部７２に保持された後に、前記第２中継基板４４の第１コネクタ受部４４ａに接続される。また、前記第２中継基板４４の第２コネクタ受部４４ｂに接続する中継用配線ＨＥは、前記上板部３２ａ,左板部３２ｃおよび下板部３２ｂに配設した複数の配線係止手段８１に係止した状態で、下板部３２ｂに配設した第１中継基板５０まで引き回されて、該第１中継基板５０にコネクタ接続される。更に、設置部材２７の左板部３２ｃの前側に配設された第２駆動モータ４２ｂ、第２発光装置４３、第４駆動モータ４８ｂおよび第４発光装置４９に接続する第３配線ＨＣは、前記第３挿通口５５を介して上板部３２ａの裏側に引き出された後、左板部３２ｃおよび下板部３２ｂに配設した複数の配線係止手段８１に係止した状態で、下板部３２ｂに配設した第１中継基板５０まで引き回されて、該第１中継基板５０にコネクタ接続される。
【００５４】
ここで、前記設置部材２７に対して図柄表示装置１８を取り付ける場合は、前記一対の係止突部３１ａ,３１ａを、設置部材２７の左規制壁３７に形成した対応の差込み口３７ａ,３７ａに挿入して係止した状態で、該図柄表示装置１８の支持部３１ｂを設置部材２７の支持台部３８の後端に当接する位置まで図柄表示装置１８を傾動させる。そして、ロック部材により支持部３１ｂを支持台部３８に固定することで、当該図柄表示装置１８が設置部材２７の設置領域Ｓに取り付けられる。前記第１挿通口５１および第２挿通口５４から上板部３２ａの裏側に引き出された第１配線ＨＡと第２配線ＨＢおよび第１駆動モータ８０に接続するモータ用配線ＨＤは、前記保護部材５６によって上下方向および前後方向への移動が規制された状態で第１駆動モータ８０の周囲に保持されているので、設置部材２７に図柄表示装置１８を取り付ける際に、該図柄表示装置１８と設置部材２７との間に配線ＨＡ,ＨＢ,ＨＤが挟み込まれるのを防止することができ、図柄表示装置１８の取り付け作業性を向上し得る。また、前記第３挿通口５５から上板部３２ａの裏側に引き出された第３配線ＨＣおよび第２中継基板４４と第１中継基板５０とを接続する中継用配線ＨＥは、設置部材２７における前記設置領域Ｓの外方に設けた複数の配線係止手段８１に係止されて所定の経路に沿って引き回されているので、これらの配線ＨＣ,ＨＥについても図柄表示装置１８の取り付け作業に際して設置部材２７との間に挟み込まれるのを防止することができる。
【００５５】
前記設置部材２７に図柄表示装置１８が取り付けられた遊技盤Ｍは、前記中枠１２に対して前記板状部材２１の左側端部を前記段部と固定突部２２,２２との間に差し込んだ状態で、板状部材２１の右側端部を押し込んで全体を遊技盤保持部２０に臨ませ、該板状部材２１の右端部の裏面を段部に当接させる。そして、前記固定具２３,２３を板状部材２１の右側上下端部の前面に当接して段部との間で挟持することで、板状部材２１は中枠１２の遊技盤保持部２０内に取り付けられる。ここで、前記中枠１２の上板部３２ａには球タンク２４が配設されて、遊技盤保持部２０に板状部材２１を取り付けた際には、図３に示す如く、該球タンク２４は前記設置部材２７の上壁部３３ａに近接するよう構成されて、板状部材２１の上下寸法を最大限大きくし得るようになっている。このような構成において、実施例のパチンコ機１０では、前記設置部材２７の上板部３２ａの裏側を引き回される配線ＨＡ,ＨＢ,ＨＤは、前記保護部材５６によって上下方向に移動するのが規制されているから、遊技盤保持部２０に対する板状部材２１(遊技盤Ｍ)の取り付け時における配線ＨＡ,ＨＢ,ＨＤの挟み込みや引っ掛かりを防止することができ、遊技盤Ｍの取り付け作業性を向上し得る。
【００５６】
実施例のパチンコ機１０では、設置部材２７の後方に突出するよう配設された第１駆動モータ８０を被覆する保護部材５６の被覆部５７に、第１駆動モータ８０の後方および上方に延在するように配線ＨＡ,ＨＢを保持する保持部６１,６４を設けているので、第１駆動モータ８０の外方に配線ＨＡ,ＨＢが大きく突出するのを防ぐことができる。しかも、第１駆動モータ８０に対する配線ＨＡ,ＨＢの接触を防止する保護部材５６に、配線ＨＡ,ＨＢの保持部６1,６４を設けているので、夫々の機能を有する部材を別々に設ける場合に比べて部品点数を低減し得ると共に構成の簡単化を図ることができる。また、第１取着部５８に設けた保持片７１および第２取着部５９に設けた第３保持部７２は、第１保持部６１が設けられる後被覆部５７ｂより前側に設けられており、これら保持片７１、第１保持部６１および第３保持部７２で保持される第１配線ＨＡは、図８に示す如く、保護部材５６の形状に沿って前後方向に湾曲した状態で引き回されている。すなわち、第１駆動モータ８０を被覆している被覆部５７の左右両側において第１配線ＨＡが弛むことなく保護部材５６の形成に沿って引き回されることで、該第１配線ＨＡが保護部材５６から後方に大きく突出するを防止することができる。
【００５７】
前記設置部材２７に設けた第１挿通口５１から裏側に引き出された第１配線ＨＡと、第２挿通口５４から裏側に引き出された第２配線ＨＢとを、第１駆動モータ８０の周囲に異なる経路で延在するよう保持する構成としたので、保護部材５６から外方への配線の突出寸法を抑えることができ、限られたスペースで配線を引き回すことができる。また、第１駆動モータ８０の後側を引き回された第１配線ＨＡにおける第２中継基板４４に至るまでの経路で該第１配線ＨＡを保持する第３保持部７２の第１前壁面７３と、第１駆動モータ８０の上側を引き回された第２配線ＨＢにおける第２中継基板４４に至るまでの経路で該第２配線ＨＢを保持する第４保持部７６の第２前壁部７７とを前後に偏倚して設けているので(図１３参照)、第１配線ＨＡと第２配線ＨＢとを前後に離して引き回すことができ、両配線ＨＡ,ＨＢが絡まるのを防止し得る。更に、実施例では、前記第２取着部５９における第２基部６８の下側を引き回される第１配線ＨＡより上側を引き回される第２配線ＨＢが前側に偏倚するように、各保持部７２,７６が配線ＨＡ,ＨＢを保持するよう構成してあるので、下側の第３保持部７２に第１配線ＨＡを保持させたり取り外す際に、上側の第４保持部７６に保持されている第２配線ＨＢが邪魔となったり第３保持部７２が見ずらくなることはなく、作業性が向上する。
【００５８】
前記第１駆動モータ８０に接続するモータ用配線ＨＤを、保護部材５６の第１保持部６１で保持された第１配線ＨＡと纏めた状態で第３保持部７２で保持するよう構成している。すなわち、モータ用配線ＨＤを第１配線ＨＡと纏めることで、前記第１配線ＨＡとは別にモータ用配線ＨＤを単独で引き回したり保持する手段を設ける場合に比べて配線処理の作業性が容易になると共に保護部材５６の構成を簡単にし得る。
【００５９】
また、前記第２中継基板４４に設けた第１コネクタ受部４４ａについて、前記保護部材５６の第３保持部７２で保持される第１配線ＨＡおよびモータ用配線ＨＤが接続するコネクタ受部が、該第３保持部７２の左側方に略並ぶように第２中継基板４４の下側に設けられるのに対し、保護部材５６の第４保持部７６で保持される第２配線ＨＢが接続するコネクタ受部が、該第４保持部７６の左側方に略並ぶように第２中継基板４４の上側に設けられている。従って、各保持部７２,７６で保持されている配線ＨＡ,ＨＢ,ＨＤを、第２中継基板４４の対応する第１コネクタ受部４４ａに接続する際に、各配線ＨＡ,ＨＢ,ＨＤを必要以上に上下に変位させる必要はなく、配線ＨＡ,ＨＢ,ＨＤに大きなストレスを与えることなく接続作業を簡単に行い得る。
【００６０】
前記第１配線ＨＡは、設置部材２７の上壁部３３ａに形成されて第２挿通口５４に連通する切欠部５２を介して該第２挿通口５４に挿通することができるので、第１配線ＨＡの端部に設けられているコネクタを第２挿通口５４に挿通する煩雑な作業を行う必要はなく、配線作業が容易となる。また、切欠部５２における後半部分の左右幅寸法を、第２挿通口５４の左右幅寸法より小さく設定しているから、第２挿通口５４に通された第２配線ＨＢが上方に抜け出すのを抑制することができ、中枠１２に対する遊技盤Ｍの取り付け時における第２配線ＨＢの挟み込みや引っ掛かりを防止し得る。更に、切欠部５２における前半部分の左右幅寸法を、図８に示す如く、前側が大きく拡開するよう形成してあるので、該切欠部５２の前半部分を案内として第２配線ＨＢを第２挿通口５４に容易に通すことができ、配線作業性がより向上する。
【００６１】
(変更例)
前述した実施例の構成に限定されるものではなく、その他の構成を適宜に採用することができる。
(1) 保護部材の形状としては、実施例のものに限られるものではない。すなわち、保護部材としては、設置部材の後方に突出する駆動モータの上部および後部を被覆するものであれば、該駆動モータの全体を被覆する被覆部を備える構成であってもよい。
(2) 実施例では、保護部材の被覆部における上被覆部および後被覆部の夫々に配線を保持する保持部を設けるよう構成したが、後被覆部にのみ保持部を設ける構成を採用し得る。すなわち、設置部材における駆動モータの配設位置を挟む一方の側に配設された基板に接続する配線が、駆動モータの配設位置を挟む他方の側から裏側に引き出される構成において、設置部材の裏側に引き出された全ての配線(実施例での第１配線および第２配線)を保護部材における後被覆部の後方を跨ぐように保持する構成を採用し得る。そして、このように配線を後被覆部の後方にのみ引き回すようにすれば、保護部材(駆動モータ)の上側および下側に配線が突出することはなく、上下方向のスペースをより有効利用し得る。
(3) 実施例では、被覆部の左右両側に取着部を設け、各取着部に配線を保持する保持部を設ける構成としたが、取着部に設けられる保持部を省略して、設置部材に設けられる配線係止手段を利用して配線を保持する構成を採用し得る。
(4) 遊技盤を構成する板状部材は、木製に限らず、アクリルやポリカーボネート等の光透過性の合成樹脂材からなる透明板であってもよい。
(5) 実施例では、遊技機としてパチンコ機を例示して説明したが、これに限られるものではなく、アレンジボール機やピンボール機、スロットマシン機等の各種遊技機を採用し得る。
【符号の説明】
【００６２】
２７ 設置部材
２９ 前発光装置(第２の電気部品)
３９ａ 第１可動体(可動体)
４１ 第１発光装置(第２の電気部品)
４４ 第２中継基板(基板)
４６ｂ 第３駆動モータ(電気部品)
４７ 第３発光装置(電気部品)
５４ 第２挿通口(挿通口)
５６ 保護部材
５７ 被覆部
５７ａ 上被覆部
５７ｂ 後被覆部
６１ 第１保持部(保持部)
６４ 第２保持部(第２の保持部)
７２ 第３保持部(第３の保持部)
７３ 第１前壁部(規制面)
７６ 第４保持部(第４の保持部)
７７ 第２前壁部(規制面)
８０ 第１駆動モータ(駆動手段)
ＨＡ 第１配線(配線)
ＨＢ 第２配線(第２の配線)
ＨＤ モータ用配線(駆動用配線)
【図１】
2015029736.tif 000003
【図２】
2015029736.tif 000004
【図３】
2015029736.tif 000005
【図４】
2015029736.tif 000006
【図５】
2015029736.tif 000007
【図６】
2015029736.tif 000008
【図７】
2015029736.tif 000009
【図８】
2015029736.tif 000010
【図９】
2015029736.tif 000011
【図１０】
2015029736.tif 000012
【図１１】
2015029736.tif 000013
【図１２】
2015029736.tif 000014
【図１３】
2015029736.tif 000015